(57)【要約】【課題】送風口での風速分布に対応して、より確実に風向制御を行うことが可能な送風装置を提供する。【解決手段】左右風向変更板１２は風速の大きい中央部で奥行き幅が長く、風速が小さい上下側は相対的に幅を短くし、長辺側の通風抵抗と短辺側の通風抵抗が均衡し吹出口３から室内に吹出される風は、左右風向変更板１２の向き方向に従い確実に左右に風向変更され室内に吹き出され快適空間を実現するものである。【選択図】  図１
2004218877.tif 000002
【特許請求の範囲】
【請求項１】
少なくとも送風ファンと、送風回路と、この送風回路の吹出し口において左右方向の風向を制御する少なくとも一枚の左右風向変更羽根とを有する送風装置であって、前記左右風向変更羽根は前記送風口での左右風向変更羽根の面方向の速度分布に対応して送風の流れ方向の奥行き幅を徐々に変化させた形状を有することを特徴とする送風装置。
【請求項２】
左右風向変更羽根はその面方向の速度分布の高い方で、その送風流れの方向に長くなるように形成されていることを特徴とする請求項１記載の送風装置。
【発明の詳細な説明】
【０００１】
【発明の属する技術分野】
本発明は、左右風向変更羽根を有する送風装置に関するものである。
【０００２】
【従来の技術】
従来の壁掛形空気調和機の送風回路における左右方向の風向変更機構について図３を用いて説明する。吹出口５１に配設された左右変更羽根５２は、送風回路を構成するエアガイダー５５とスタビライザー５７との間に略垂直に位置し、その下辺は送風回路を構成するエアガイダー５５上で左右に回動する際にエアガイダー５５に接触しない様にエアガイダー５５に沿った形状で造形されている。このような送風回路では、左右風向変更羽根５２の面方向の風速分布（５３の矢印）はエアガイダー５５に近傍側で相対的に大きく、スタビライザー５７側で相対的に小さくなる。
【０００３】
送風ファン５６から送り出される送風が、エアガイダー５５に誘導され吹出口５１より吹出される際に風向を左右に制御できるようにするため、左右変更羽根５２はエアカイダー５５の先端部近傍に配置されているとともに、送風流れの抵抗に成らぬよう左右変更羽根５２をエアガイダー５５対しほぼ垂直に取り付けられている。また左右変更羽根５２に取り付けられる連結棧（図示せす）も送風流れの抵抗に成らぬよう構成されている（特許文献１参照）。
【０００４】
また従来の床置形空調機は図４に示すように、１は空気調和機本体で、前面下部に設けられた本体吸込口２、前面上部に設けられた本体吹出口３、本体背面を形成するリアパネル４、本体前面のフロントパネル５等で構成されている。６はリアパネル４の下部に取り付けられたケーシングで、このケーシング６の内部に一端がリアパネル４で支持されたモータ７が収納されると共に、モータ７の他端、軸の先端にはファン８が装着されている。６ａは本体吸込口２に対向するケーシング吸込口、６ｂは本体内上部に向かって開口するケーシング吹出口、９はケーシング６の上方にリアパネル４側に傾斜して配設された熱交換器である。
【０００５】
１０は本体背面内側壁に沿って流れる風を熱交換器９側に偏向される突起形状の偏向ガイドである。吹出口３において、１１は吹出口３の幅方向ほぼ全幅に設けられた吹出風の上下方向に風向を変更する上下風向変更板、１２は吹出口３の縦方向ほぼ全長に設けられた左右方向に風向を変更する左右風向変更板で、壁掛けタイプのように吹出口に風回路を構成する傾斜したエアガイダーも具備しないので矩形状で造形されていた（例えば特許文献２参照）。
【０００６】
【特許文献１】
特開平１０−１４８３４８号公報
【特許文献２】
特開平８−２００７２２号公報
【０００７】
【発明が解決しようとする課題】
しかしながら、上記従来の壁掛形空気調和機に具備される送風回路の吹出し口での左右方向の風向変更羽根２は、風回路を構成するエアガイダー５上で左右に回動するためエアガイダー５に面する側の辺長さは短く、エアガイダー５沿って吹き出される風の左右風向変更角度は小さいものとなっている。
【０００８】
また上記床置形空調機の構成では、偏向ガイド１０によって熱交換器９側へ極力均一に風を吹き込ませるように工夫されているが、かえって風の流れに乱れを生じてしまい騒音の原因となっていた。また上記偏向ガイド１０を装備するには工数・材料費がかかるという課題を有していた。
【０００９】
本発明はこのような従来の課題を解決するものであり、吹出口に配設された左右風向変更羽根の上部と下部の長さに差を設け吹出口から吹き出す風の左右への変更をより確実に行うことのできる風向手段を提供することを目的とする。
【００１０】
【課題を解決するための手段】
上記課題を解決するために本発明は、左右風向変更羽根の面方向の速度分布に応じての、その風速分布の高い部分の奥行き幅を長くし、相対する部分の幅は短く成るように変化させた形状を有するように構成した送風装置を提供するものである。
【００１１】
上記左右風向変更羽根の奥行き幅変化による傾斜によって、吹出口から吹き出す風の左右への変更が確実に実施でき、温度ムラがない快適な室内空間が得られる。
【００１２】
【発明の実施の形態】
以下、本発明の実施の形態について図面を参照して説明する。
【００１３】
（実施の形態１）
図１は本発明の実施の形態１における、床置形空気調和機の縦断面図である。図において、符号１〜１２は従来の床置形空気調和機と同一のものであり、その説明は省略する。
【００１４】
図１において、ファン８からユニット背面に沿って上方に送り出される空気は矢印の方向に送出されて熱交換器に９を通過する。左右風向変更板１２の送風上流側の辺部は、矢印で示される左右風向変更羽根の面方向の風速分布に対応した形状に形成されており、風速分布の大きい中央部付近でその奥行き幅が最大となるように形成されており、送風の主流が確実に風向変更されるものである。また風速が相対的に小さい上・下側は短辺側の左右風向変更板１２でロス無く風向変更される。このため左右風向変更板１２の長辺側の通風抵抗と短辺側の通風抵抗が均衡し吹出口３から室内に吹出される風は、左右風向変更板１２の向き方向に従い確実に左右に風向変更され室内に吹き出される。
【００１５】
（実施の形態２）
図２は本発明の実施の形態２における、壁掛形空気調和機の縦断面図である。同図において、送風ファン２６から送り出される送風が、エアガイダー２５に誘導され吹出口２１より吹出されるため、スタビライザー２７に比べエアガイダー２５側の風速が大きい。このエアガイダー２５側に位置する左右変更羽根２２を上下羽根２４に干渉しない位置まで長くするので、エアガイダー２５に沿って吹出される風は確実に風向変更され室内に吹き出される。
【００１６】
【発明の効果】
上記から明らかなように、本発明は、風向変更羽根の面方向の速度分布の高い側の長さを長くし相対する側を短くするもので、この構成によれば、吹出口から室内に吹き出される風は左右風向変更板により確実に左右に風向変更し室内に吹き出し快適空間を実現できるという効果を奏する。
【図面の簡単な説明】
【図１】本発明の実施形態１を示す床置形空調機室内機の断面模式図
【図２】本発明の実施形態２を示す壁掛形空調機室内機の断面模式図
【図３】従来の壁掛形空調機室内機の断面模式図
【図４】従来の床置形空調機室内機の断面模式図
【符号の説明】
１  本体
２    本体吸込口（吸込口）
３    本体吹出口（吹出口）
６    ケーシング
８    ファン（送風機）
１２    上下風向変更板
１３    左右風向変更板
【図１】
2004218877.tif 000003
【図２】
2004218877.tif 000004
【図３】
2004218877.tif 000005
【図４】
2004218877.tif 000006